(57)【特許請求の範囲】
【請求項１】
入賞領域に継続信号発生手段を備える特別入賞口と一般入賞口とを設け、可動球受部材を第１の駆動源により駆動して、打球が上記入賞領域に流入できずに遊技者に不利な第１状態と、打球が上記入賞領域へ流入可能となって遊技者に有利な第２状態とに変換可能な入賞装置を備えるパチンコ機において、
上記入賞装置は、仕切板により上入賞室と下入賞室とに仕切られており、上記下入賞室の底板に少なくとも上記特別入賞口を備え、上記上入賞室と下入賞室とに開口して上記上入賞室の球を上記特別入賞口へ誘導する第１の球通路と、上記上入賞室と上記下入賞室とに開口して上記上入賞室の球を上記一般入賞口へ誘導する第２の球通路とを有するとともに、該第２の球通路に当該第２の球通路の容量を可変するストッパ手段、及び該ストッパ手段を駆動する第２の駆動源を備えてなり、
上記ストッパ手段は可動部材とストッパ部材とからなり、上記第２の駆動源は可動部材を駆動して上下動させる可動部材駆動機構と、ストッパ部材を駆動して第２の球通路に出没させるストッパ部材駆動機構とからなり、
上記継続信号発生手段の継続信号に基づいて第１の駆動源を駆動することにより所定期間打球が上記入賞領域へ流入可能な上記第２状態に変換すると共に、上記継続信号に基づき予め設定された継続回数以前と以降とでは可動部材およびストッパ部材の動作を異ならせて上記第２の球通路内に貯留可能な球数を、予め設定された継続回数以前に対してそれ以降は少なく変化させるように可動部材駆動機構及びストッパ部材駆動機構を駆動し、
上記第１の球通路への入球は、上入賞室へ流入した球が直接流入してなされるか又は第２の球通路に球が貯留されその第２の球通路から溢れた球が流入してなされ、
上記第２の球通路への貯留のうち、予め設定された継続回数以前の貯留は可動部材の上下動とストッパ部材の突出によりなされ、予め設定された継続回数以降の貯留は可動部材の上動によりなされて、ストッパ部材は作動しないようにされており、
予め設定された継続回数以前においても、第２の球通路に貯留可能な球数が可動部材の上下動に応じて変化するとともに、予め設定された継続回数以降においても、第２の球通路に貯留可能な球数が可動部材の上下動に応じて変化する、
ことを特徴とするパチンコ機。
【発明の詳細な説明】
【０００１】
【産業上の利用分野】
この発明は、所定条件が成立することにより遊技者に不利な第１状態から遊技者に有利な第２状態に変換可能な入賞装置を備えるパチンコ機に関し、特に上記入賞装置内に球を貯留可能な貯留手段を設けたパチンコ機に関するものである。
【０００２】
【従来の技術】
所定条件が成立することにより遊技者に不利な第１状態から遊技者に有利な第２状態に変換可能な従来のパチンコ機は、遊技盤に形成した遊技部に始動口を設けると共に、可動球受部材により遊技部と区画可能な入賞領域を有する入賞装置を設け、上記入賞領域には特別入賞口と一般入賞口とを設けて、打球が上記始動口へ入球した場合には、可動球受部材を回動させて入賞装置の入賞領域と遊技部とを連通させることにより入賞領域への流入を許可すると共に、入賞領域へ流入した球が更に特別入賞口に入球した場合には、遊技者に有利な特別ゲームへ移行するように構成してある。また、この特別ゲームは、入賞確率が増大するように、可動球受部材を所定回数開閉するか、または入賞領域へ所定個数流入することを１サイクルとし、特別入賞口への更なる入球により許容される範囲内でサイクルの更新が可能なように設定してある。
そして、この種のパチンコ機においては、パチンコ遊技に変化をもたせるため、或は特別入賞口に入球し易くするため、入賞装置内に球を貯留可能な貯留手段を設けたものがある。例えば特開昭６２−２４９６６５号公報によるパチンコ機では、特別入賞口及び一般入賞口を設けた入賞空間に球通路を設け、該球通路を開閉可能とする駆動手段を備えるストッパ部材を並設することにより、上記球通路内に球を貯留可能としている。
【０００３】
【発明が解決しようとする課題】
しかしながら、上記した従来の球を貯留可能なパチンコ機にあっては、球通路内に貯留可能な球数が例えば８個に固定してあり、許容された入球数が１０個の場合に、残り２個の内の何れかを特別入賞口へ入球させるようにしている。そこで、継続回数が多くなるように設定した場合には、出玉が多くなり過ぎて遊技店にとって出玉管理の難しいものになってしまう。一方、貯留数を少なく設定して、出玉のバランスを図るようにした場合には、単調なゲームになり易く、ゲームの興趣が向上しない。
本発明は、上記に鑑み提案されたもので、継続回数に対応して貯留可能な球数を変化させることにより、パチンコ遊技の興趣を向上させると共に、出玉管理の容易なパチンコ機を提供することを目的とする。
【０００４】
【課題を解決するための手段】
本発明は上記に鑑み提案されたもので、入賞領域に継続信号発生手段を備える特別入賞口と一般入賞口とを設け、可動球受部材を第１の駆動源により駆動して、打球が上記入賞領域に流入できずに遊技者に不利な第１状態と、打球が上記入賞領域へ流入可能となって遊技者に有利な第２状態とに変換可能な入賞装置を備えるパチンコ機において、上記入賞装置は、仕切板により上入賞室と下入賞室とに仕切られており、上記下入賞室の底板に少なくとも上記特別入賞口を備え、上記上入賞室と下入賞室とに開口して上記上入賞室の球を上記特別入賞口へ誘導する第１の球通路と、上記上入賞室と上記下入賞室とに開口して上記上入賞室の球を上記一般入賞口へ誘導する第２の球通路とを有するとともに、該第２の球通路に当該第２の球通路の容量を可変するストッパ手段、及び該ストッパ手段を駆動する第２の駆動源を備えてなり、上記ストッパ手段は可動部材とストッパ部材とからなり、上記第２の駆動源は可動部材を駆動して上下動させる可動部材駆動機構と、ストッパ部材を駆動して第２の球通路に出没させるストッパ部材駆動機構とからなり、上記継続信号発生手段の継続信号に基づいて第１の駆動源を駆動することにより所定期間打球が上記入賞領域へ流入可能な上記第２状態に変換すると共に、上記継続信号に基づき予め設定された継続回数以前と以降とでは可動部材およびストッパ部材の動作を異ならせて上記第２の球通路内に貯留可能な球数を、予め設定された継続回数以前に対してそれ以降は少なく変化させるように可動部材駆動機構及びストッパ部材駆動機構を駆動し、上記第１の球通路への入球は、上入賞室へ流入した球が直接流入してなされるか又は第２の球通路に球が貯留されその第２の球通路から溢れた球が流入してなされ、上記第２の球通路への貯留のうち、予め設定された継続回数以前の貯留は可動部材の上下動とストッパ部材の突出によりなされ、予め設定された継続回数以降の貯留は可動部材の上動によりなされて、ストッパ部材は作動しないようにされており、予め設定された継続回数以前においても、第２の球通路に貯留可能な球数が可動部材の上下動に応じて変化するとともに、予め設定された継続回数以降においても、第２の球通路に貯留可能な球数が可動部材の上下動に応じて変化する、ようにしたものである。
【０００５】
【作用】
第２の球通路では、予め設定された継続回数以前と以降とで貯留可能な球の容量が変化し、この第２の球通路から溢れた球を、特別入賞口へ入球し易い第１の球通路に流入可能とすると共に、上記貯留した球を適宜タイミングで放球する。
【０００６】
【実施例】
以下、本発明を図面の実施例について説明すると、図１はパチンコ機１の正面図で、パチンコ機１の概略は、外枠２の一側に前枠３をヒンジにより開閉可能に蝶着すると共に、上記前枠３に開設した窓部に金枠４を設け、窓部の上方部分には遊技盤５を後方から臨ませ、窓部の下方部分には球を貯留する上皿６ａを有する上皿セット６を設け、また前枠３の下方部分には発射杆（図示せず）を駆動して球を遊技盤５の表面のガイドレール７で囲まれる遊技部８内へ打ち込むためのグリップ９と上皿６ａから溢れた球を貯留する下皿１０ａ等が配設された下皿セット１０を設けてなる。
【０００７】
上記遊技盤表面のガイドレール７で囲まれた遊技部８には入賞装置１１と複数の始動口１２…と一つのアウト口１３等を配設し、上記入賞装置１１の側方位置には肩入賞口１４を配設し、斜め下方位置には袖チューリップ式役物１５を配設する。また、適宜位置に風車１６を配設し、更に図示していない多数の障害釘を配設する。一方、ガイドレール７の外側には、賞球表示灯１７や完了表示灯１８を始めとする各種表示装置１９…を設け、更に前枠３の上縁部分には外部表示灯２０を設ける。
【０００８】
そして、遊技者が発射した球が入賞装置１１や袖チューリップ式役物１５等に入賞したときには、賞球排出装置（図示せず）によって所定数の賞球が上皿６ａへ排出され、いずれにも入賞しなかった球はアウト口１３に回収されるように構成されている。
【０００９】
入賞装置１１は、例えば図２ないし図１０に示すように、遊技盤５に取付けるための取付基板２１に開口部２２を設け、この開口部２２に前面側が開口するリヤカバー２３を止着して入賞室２４を形成すると共に、上記開口部２２の側方に遊技部８と入賞室２４とを区画する区画手段として回動可能な一対の可動球受部材２５を開口部２２の側縁に臨ませることにより、遊技部８と連通可能な入賞領域２６を形成してなる。即ち、可動球受部材２５が起立しているときは、遊技部８を流下する打球が開口部２２から入賞室２４へ流入できない遊技者に不利な第１状態にあるが、可動球受部材２５が傾動して開口部２２の側縁部分を開放しているときは、入賞室２４と遊技部８とが連通して遊技部８を流下する球が入賞室２４へ流入し易くなり、遊技者に有利にゲームが展開する第２状態となる。
【００１０】
上記可動球受部材２５の裏面側には回動軸２７を設け、この回動軸２７を取付基板２１及びリヤカバー２３に形成した軸受部２８に通し、この回動軸２７の後端に、駆動ピン２９ａを植設した駆動レバー２９を設け、第１の駆動源である駆動ソレノイド３０のプランジャ３０ａに枢着した駆動杆３１の長孔３１ａに、上記駆動ピン２９ａを遊嵌して駆動機構を構成する。尚、上記駆動ソレノイド３０は、リヤカバー２３の後方に延出する取付柱３２に、駆動機構構成基板３３と共に取り付けた基板ベース３４に対して止着してあるソレノイド取付板３５に固定してあり、上記ソレノイド取付板３５には上記駆動杆３１に設けた摺動突部が摺接してガイド手段を構成している。
【００１１】
上記取付基板２１の開口部２２の上方には、上方から入賞室２４へ流入する球を阻止するための鎧部３６を突設し、この鎧部３６には天入賞口３７を形成し、当該天入賞口３７へ流入した球を、天入賞球誘導樋３８により取付基板２１の後方へ導いて図示していない球寄せカバーに集合させる。また、上記鎧部３６の前面には上飾り板３９を設け、この上飾り板３９には表示部４０を設け、後述する特別遊技におけるサイクル数を表示するように、ＬＥＤ基板の左右側方に発光ダイオードを縦に列設して構成した連続作動回数表示灯４１、及び大入賞口としての入賞室２４へ流入した球数を表示するため、上記ＬＥＤ基板の中央に発光ダイオードを縦横に列設してなるマトリクス表示装置を設けて構成した大入賞口入賞球数表示灯４２を臨ませる。尚、大入賞口である入賞室２４へ入賞した球数は、下流側に設けた図示していない１０カウントスイッチによって検出する。また、上記鎧部３６の下縁には、係止片３６ａが延設してあり、閉止状態の可動球受部材２５の上端内面が係止し、開放状態のときには、可動球受部材２５の基端部分に設けた係止段部２５ａと、取付基板２１に突設した係止突部２１ａとが係止して、可動球受部材２５の回動範囲を規制すると共に当該可動球受部材２５に加わる球の衝撃等が駆動源側に伝達しないようになっている。
【００１２】
上記した可動球受部材２５の回動軸２７とほゞ同じ高さ位置である入賞室２４の中段やゝ上方には、当該入賞室２４を上入賞室２４ａと下入賞室２４ｂとに仕切る後向きに緩く下り傾斜した仕切板４３を設ける。この仕切板４３の後縁にはほゞ半円形の切欠を設けて、後述する回転体４４を臨ませると共に、該回転体４４の左右にほゞ球が一個通過可能な開口端を設ける。尚、回転体４４の回転方向は図１０に矢視するように反時計方向である。また、図示の実施例においては、可動球受部材２５が取り込む球を入賞室２４の後方へ誘導し、或は進路を変更するため、上記仕切板４３の前縁中央に平面形状がほゞ三角形をなす中央球ガイド４３ａが隆設してある。また、仕切板４３の後縁付近の左右、即ち上記した開口端に連なる球経路が回転体４４の周囲に形成されるように、側部球ガイド４３ｂが設けてある。
【００１３】
また、上記下入賞室２４ｂの底板４５は前向きに緩く下り傾斜しており、この底板４５の前縁には、遊技者に有利にゲームが展開する特別遊技の継続信号を発生させる継続信号発生手段として継続スイッチ４６を臨ませた特別入賞口４７を設けると共に、この特別入賞口４７の左右には遊技者に通常の利益を与える一般入賞口４８を設ける。尚、上記特別入賞口４７及び一般入賞口４８は取付基板２１の前面側に開口部２２の縁に沿って突設した球受枠４９に、下飾り板５０を添設して構成してあり、一般入賞口４８は底板４５の前縁を切り欠いて開口面積が大きくなっている。
【００１４】
そして、上記上入賞室２４ａと下入賞室２４ｂとの間には球通路を形成する。この球通路は、入口が上入賞室２４ａに位置する回転体４４に開口すると共に、出口が下入賞室２４ｂの特別入賞口４７の後方に開口し、上入賞室２４ａの球を特別入賞口４７へ誘導可能な第１の球通路５１、及び上記第１の球通路５１の左右側方に位置すると共に、上入賞室２４ａの左右側方の開口した開口端が入口となり、出口が下入賞室２４ｂに設けた左右の一般入賞口４８の近傍に開口して上入賞室２４ａの球を一般入賞口４８へ誘導可能な第２の球通路５２とが存在する。また、第２の球通路５２の前方にはガイドリブ５２ｂを突設した透明なカバー板５２ａが取付基板２１に設けてある。
【００１５】
上記第１の球通路５１を更に説明すると、この第１の球通路５１は、リヤカバー２３の後壁から前方へ向けて隆設した球誘導区画リブ５３によって形成される。また、この第１の球通路５１の入口は上入賞室２４ａに設けた円筒状の回転体４４の側面に開設してあり、出口は下入賞室２４ｂの後方で且つ特別入賞口４７の中心線の延長線上に開口する。上記球誘導区画リブ５３の中段には、誘導傾斜５３ａが設けてあり、この誘導傾斜５３ａを介して第１の球通路５１の幅をほゞ球１個分に縮径して出口へ導く。尚、図示の実施例においては、第１の球通路５１に流入した球の落下点、即ち特別入賞口４７の中心線の延長線上には、山形に隆出して落下してきた球を左右に振り分ける振分リブ５４を設ける。また、上記振分リブ５４から底板４５の前縁に向けて一段盛り上がっているが球が転動可能な障害凸部５５を特別入賞口４７へ連なるように連設する。
【００１６】
上記した回転体４４は、キャラクタ人形の帽子を模して形成してあり、上方に駆動源としてモータ５６が設けてある。この回転体４４の上縁には切欠を設けたフランジ部５７を延設し、上記切欠をフォトセンサ５８で検出して回転体４４の停止位置を決定する。尚、図示の実施例では、回転体４４の側面に一つの開口部４４ａを設けて入口としているが、複数の開口部を開設することもできる。また、回転体４４の下方で、人形の頭ないし顔の上面には、球受面５９を設けて取り込んだ球を球誘導区画リブ５３の間に導いている。
【００１７】
一方、上記第１の球通路５１の左右には、上入賞室２４ａと一般入賞口４８とに開口して上入賞室２４ａの球を一般入賞口４８へ誘導可能な第２の球通路５２を形成する。この第２の球通路５２は、仕切板４３の後縁の左右に開口し、入賞室２４の後壁との間をほゞ球１個分として形成した前面整列部材６０と入賞室２４の側壁部分となっているリヤカバー２３の側壁と、底板４５から若干上昇した位置に起立して下入賞室２４ｂを区画するガイドリブ６１とにより形成される。また、第２の球通路５２の入口部分には、前記した球誘導区画リブ５３の上端から横方向に延在し、上端面に下り傾斜を有する球誘導リブ５３ｂが設けてある。
【００１８】
上記第２の球通路５２には、当該球通路５２に貯留可能な球の容量を可変するストッパ手段を設ける。このストッパ手段は、図示の実施例によれば、支持軸を支点に上下動可能な可動部材６２と、この可動部材６２の側方に出没するストッパ部材６３とからなる。
【００１９】
上記ストッパ手段を更に詳しく説明すると、可動部材６２は、入賞室２４に設けたキャラクタ人形の腕を模して形成してあり、この可動部材６２である腕（以下、単に腕６２という）を上げたときに、第２の球通路５２の容量が最低になって球２個で第２の球通路５２が満杯になる。そして、３個目の球は、第２の球通路５２に入ることができず、人形の帽子を模して形成した回転体４４の開口部４４ａが巡ってきたときに、第１の球通路５１に流入する（図７参照）。
【００２０】
一方、腕６２を下げた状態で、且つストッパ部材６３を前方に突出させた状態では、第２の球通路５２には３個の球を貯留することができる。そして、ストッパ部材６３を後退させると、支えを失った球が一斉に落下し、これらの球は一般入賞口４８へ流入する確率が極めて高い。しかし、球通路の縁等に衝突した球が跳ね返って特別入賞口４７へ飛入する可能性もある。尚、腕６２や第２の球通路５２は左右対称に設けてあるので、貯留球は最大６個になる。
【００２１】
上記のように機能する腕６２の駆動機構は例えば次のように構成する。即ち、腕６２の支軸６４の後端に偏心ピン６５ａを有するクランク６５を設け、駆動機構構成基板３３の背面側に、ガイドピン６６によって摺動方向を上下方向に規制されたスライダ６７を設ける。このスライダ６７には長孔６７ａを設けて上記偏心ピン６５ａを遊嵌する。スライダ６７の中点にはスライダクランク６８の下端を軸着し、該スライダクランク６８の上端をモータクランク６９の偏心位置に軸着する。そして、上記モータクランク６９の軸６９ａをモータ７０の出力軸７０ａを連結する。
【００２２】
モータクランク６９の周面には、例えばマイクロスイッチからなる腕位置検出スイッチ７１のアクチュエータ７１ａを臨ませ、該モータクランク６９の周面に設けた位置決め切欠に上記アクチュエータ７１ａの先端が嵌入したとき、腕６２を所定位置で停止させる。そして、所定時間が経過したり、所定の条件が成立したときには、モータ７０を回転させて腕６２の停止位置を変更することにより、第２の球通路５２の容量を変更する。
【００２３】
一方、ストッパ部材６３の駆動機構は例えば次のように構成する。即ち、ストッパ部材６３の後端には連結ピン７２を設け、この連結ピン７２をリンク部材７３の遊嵌孔に遊嵌する。上記したリンク部材７３は、基端付近を支軸７３ａによって回動自在に軸支され、基端にはストッパ駆動用ソレノイド７４を連結する。尚、図９に示す実施例では、ソレノイド７４の励磁状態を示し、ストッパ部材６３が突出している。
【００２４】
更に、図示の実施例においては、第１の球通路５１を落下する球を特別入賞口４７へ誘導するために誘導部材７５が設けてある。この誘導部材７５は、キャラクタ人形の足を模して形成してあり、誘導部材７５である足（以下、単に足７５という）を大きく開いた状態では、球が安定しないが、足７５を少し閉じた状態になると、両足の間隔がほゞ球１個が通過できる間隔になり、球が誘導路の中央に安定し、特別入賞口４７へ入賞し易くなる。
【００２５】
この誘導部材７５の駆動機構は、ソレノイド７６及び足用リンク７７によって構成され、図４に示すように、プランジャの先端に設けた作動レバー７８を足用リンク７７の遊合溝７９に遊嵌して構成する。
【００２６】
尚、図示の実施例では、基板ベース３４に中継基板収納部７９を設けると共に、コネクタ８０を列設した中継基板８１を、上記中継基板収納部７９に収設して、各電気部品の配線を中継してある。
【００２７】
次に、図１１ないし図１２に示すタイムチャートを参照して、本発明に係るパチンコ機１の遊技を説明する。尚、このパチンコ機１においては、入賞装置１１を始めとする入賞口に入球した入賞球１個について１３個の賞球を払い出し、始動口１２…に入球した球に対しては７個の賞球を払い出すように設定してある。
【００２８】
パチンコ機１の電源を投入すると、入賞室２４内の回転体４４が、一定速度、例えば１回転３秒の速度で回転を開始する。
【００２９】
そして、遊技者が発射した打球が、第１始動口１２ａに入球して第１始動口スイッチがオンすると、約１秒後に可動球受部材２５が約０．５秒開放する。このとき、足７５が約１秒間外側へ開き、可動球受部材２５の開放開始と共に約０．９秒内側へ閉じる。また、腕６２を２秒の周期で上下に３回振っている。一方、第２始動口１２ｂに入球して第２始動口スイッチがオンすると、約１秒後に可動球受部材２５が０．５秒間隔で２回開放する。このとき、足７５が約１．５秒間外側へ開き、次いで約１秒間内側へ閉じる。また、腕６２を２秒の周期で上下に３回振っている。尚、継続スイッチ４６は、可動球受部材２５が閉止した後も、約３秒間有効となっている。
【００３０】
上記可動球受部材２５が開放中に、打球が入賞室２４内へ流入し、更に特別入賞口４７へ入球して継続スイッチ４６がオンすると、特別遊技を開始する。
【００３１】
この特別遊技は、約２４秒間に可動球受部材２５を１８回開閉するか、入賞室２４に９個の打球が入球すると１サイクルが終了し、この１サイクル中に、再び継続スイッチ４６がオンすると、初回のサイクルを含めて最大１６回まで更新が可能である。
【００３２】
更に、この特別遊技を説明すると、この実施例においては初回から８回目迄のサイクルと、９回目以降のサイクルでは動作が若干異るので、先ず前半のサイクルについて説明する。
【００３３】
入賞室２４に流入した球が特別入賞口４７に入球して継続スイッチ４６がオンすると、直ちに可動球受部材２５を閉止し、約４秒後から０．７秒間隔で新たに１８回の開閉を開始すると共に、直ちに足７５が約０．１秒間隔で高速に開閉動作を５回行ない、可動球受部材２５が開閉している間、約０．８秒間隔で内側へ閉じた状態と外側へ開いた状態とを繰り返している。更に、腕６２も２秒を１周期として上下に振っている。一方、可動球受部材２５が開閉を開始すると、ストッパ手段が作動して、即ちストッパ部材６３が突出して、入賞球を第２の球通路５２内に一時貯留可能となり、腕６２が下降した状態のときには最大６個の球を貯留可能になる。また、回転体４４は、１回転に３秒かけて回転を続けている。
【００３４】
そして、入賞室２４への入賞球を１個検出するか又は可動開閉部材が７回開放すると３秒以内に回転体４４が所定の位置、例えば開口部４４ａを正面に向けた位置で回転を停止する。また、入賞室２４への入賞球を１個検出するか又は可動開閉部材が９回開放後、或は開閉動作中に再び継続スイッチ４６がオンすると、ストッパ部材６３が作動を停止して、貯留した球を放球する。
【００３５】
可動球受部材２５が開閉動作中であっても、入賞室２４内への入賞球を９個検出すると、可動球受部材２５は開閉動作を終了する、そして、足７５は最後に約１秒内側へ閉じた後、外側へ開いた状態で停止する。また、腕６２は、継続スイッチ４６の有効時間約３秒が経過した後、２秒以内に上げた状態で停止する。更に、回転体４４は、可動球受部材２５が開閉を終了すると、回転を再開する。
【００３６】
上記のような特別遊技の前半においては、ストッパ部材６３が作動しているので、第２の球通路５２内に最大６個の球を貯留でき、７個目の球が回転体４４の開口部４４ａへ流入し、第１の球通路５１を通って特別入賞口４７へ入賞する確率が高くなる。従って、多くの賞球を獲得可能であると共に確実なサイクルの更新が可能である。
【００３７】
次に、特別遊技の後半、即ちサイクルが９回目以降では、継続スイッチ４６がオンすると、直ちに可動球受部材２５を閉止し、約４秒後から０．７秒間隔で新たに１８回の開閉を開始するすると共に、直ちに足７５が約０．１秒間隔で高速に開閉動作を５回行ない、入賞球を１個検出するまで外側へ開いた状態で停止する。一方、２秒を１周期として上下に振っている腕６２は、２秒以内に上に上げた状態で停止し、この状態を入賞球を２個検出するか、可動球受部材２５が７回開放するまで維持する。そして、特別遊技の後半では可動球受部材２５が開閉を開始しても、ストッパ部材６３は作動しない。従って、ストッパ部材６３が突出しないので、腕６２のみで球を貯留することになり、貯留数は腕６２を上げた状態のとき最大の４個となり、下げた状態では流出してしまう。一方、１回転に３秒かけて回転している回転体４４は、入賞球を２個検出するか又は可動球受部材２５が７回開放すると、３秒以内に所定の位置で停止し、可動球受部材２５の開閉が終了するまで停止状態を維持する。
【００３８】
そして、可動球受部材２５の開閉動作が終了すると、足７５は最後に約１秒内側へ閉じた後、外側へ開いた状態で停止する。また、腕６２は、継続スイッチ４６の有効時間約３秒が経過した後、２秒以内に上げた状態で停止する。更に、回転体４４は、可動球受部材２５の開閉を終了すると、回転を再開する。
【００３９】
このように、特別遊技の後半では、ストッパ部材６３が作動しないので、貯留する球の数が少なくなる（最大４個）と共に、特別入賞口４７への入賞が比較的困難になる。
【００４０】
上記のような特別遊技の態様によれば、前半は遊技者に対して出玉をサービスし、後半に至っては比較的遊技店に有利になるようにゲームを進行することができる。このように、回転体４４と腕６２と足７５との相互関係により、出玉管理を容易に行なうことが可能となる。尚、上記の説明は、遊技態様の一例の説明であって、各部材が作動するタイミングや回数等は適宜変更できる。
【００４１】
以上本発明を図面の実施例について説明したが、本発明は上記した実施例に限定されるものではなく、特許請求の範囲に記載した構成を変更しない限り適宜に実施できる。例えば、図示の実施例においては、貯留数を４個と６個とに変化させているが、２個、４個、６個、８個等、複数段に変化させることも可能である。また、図示の実施例では、ストッパ手段を可動部材とストッパ部材とにより構成しているが、単独のストッパ部材によって構成することもできる。
【００４２】
【発明の効果】
以上要するに本発明は、入賞領域に継続信号発生手段を備える特別入賞口と一般入賞口とを設け、可動球受部材を第１の駆動源により駆動して、打球が上記入賞領域に流入できずに遊技者に不利な第１状態と、打球が上記入賞領域へ流入可能となって遊技者に有利な第２状態とに変換可能な入賞装置を備えるパチンコ機において、上記入賞装置は、仕切板により上入賞室と下入賞室とに仕切られており、上記下入賞室の底板に少なくとも上記特別入賞口を備え、上記上入賞室と下入賞室とに開口して上記上入賞室の球を上記特別入賞口へ誘導する第１の球通路と、上記上入賞室と上記下入賞室とに開口して上記上入賞室の球を上記一般入賞口へ誘導する第２の球通路とを有するとともに、該第２の球通路に当該第２の球通路の容量を可変するストッパ手段、及び該ストッパ手段を駆動する第２の駆動源を備えてなり、上記ストッパ手段は可動部材とストッパ部材とからなり、上記第２の駆動源は可動部材を駆動して上下動させる可動部材駆動機構と、ストッパ部材を駆動して第２の球通路に出没させるストッパ部材駆動機構とからなり、上記継続信号発生手段の継続信号に基づいて第１の駆動源を駆動することにより所定期間打球が上記入賞領域へ流入可能な上記第２状態に変換すると共に、上記継続信号に基づき予め設定された継続回数以前と以降とでは可動部材およびストッパ部材の動作を異ならせて上記第２の球通路内に貯留可能な球数を、予め設定された継続回数以前に対してそれ以降は少なく変化させるように可動部材駆動機構及びストッパ部材駆動機構を駆動し、上記第１の球通路への入球は、上入賞室へ流入した球が直接流入してなされるか又は第２の球通路に球が貯留されその第２の球通路から溢れた球が流入してなされ、上記第２の球通路への貯留のうち、予め設定された継続回数以前の貯留は可動部材の上下動とストッパ部材の突出によりなされ、予め設定された継続回数以降の貯留は可動部材の上動によりなされて、ストッパ部材は作動しないようにされており、予め設定された継続回数以前においても、第２の球通路に貯留可能な球数が可動部材の上下動に応じて変化するとともに、予め設定された継続回数以降においても、第２の球通路に貯留可能な球数が可動部材の上下動に応じて変化するので、ゲーム性を損なうことなく出玉管理を容易に行なうことができ、遊技者と遊技店の利益バランスを図ることのできる実用的価値の高いパチンコ機を提供する。
【図面の簡単な説明】
【図１】パチンコ機の正面図である。
【図２】入賞装置の正面図である。
【図３】入賞装置の縦断面図である。
【図４】図３の矢視Ａにおける背面図である。
【図５】可動部材を下降させた状態の要部を示す正面図である。
【図６】図５の矢視Ｂにおける縦断面図である。
【図７】可動部材を上昇させた状態の要部を示す正面図である。
【図８】図７の矢視Ｂにおける縦断面図である。
【図９】図５の矢視Ｃにおける横断面図である。
【図１０】図５の矢視Ｄにおける横断面図である。
【図１１】始動入賞口のタイムチャートを示し、（Ａ）は第１始動口、（Ｂ）は第２始動口である。
【図１２】特別遊技における各部材のタイムチャートを示し、（Ａ）は初回から８サイクル目までの動作であり、（Ｂ）は９回目以降の動作である。
【符号の説明】
１  パチンコ機
１１  入賞装置
２４  入賞室
２５  可動球受部材
２６  入賞領域
３０  第１の駆動源としての駆動ソレノイド
４３  仕切板
４５  底板
４７  特別入賞口
４８  一般入賞口
５１  第１の球通路
５２  第２の球通路
６２  ストッパ手段としての可動部材
６３  ストッパ手段としてのストッパ部材
７０  第２の駆動源としてのモータ
７４  第２の駆動源としてのソレノイド
【図１】
0003609100.tif 000002
【図２】
0003609100.tif 000003
【図３】
0003609100.tif 000004
【図４】
0003609100.tif 000005
【図５】
0003609100.tif 000006
【図６】
0003609100.tif 000007
【図７】
0003609100.tif 000008
【図８】
0003609100.tif 000009
【図９】
0003609100.tif 000010
【図１０】
0003609100.tif 000011
【図１１】
0003609100.tif 000012
【図１２】
0003609100.tif 000013